(57)【要約】      （修正有）【課題】縮んで硬くなった屈筋をゆるませ、膨らませることができ、その結果、身体の歪みに起因する腰痛や股関節痛等の痛みを和らげ、さらには治癒することが可能な絆創膏を提供する。【解決手段】絆創膏は、一方の面が接着面である粘着片１１からなり、粘着片は使用時に身体の筋肉の屈筋の位置に貼着され、粘着片の接着面の略中央部には粘着片よりも面積が小さな竹繊維の不織布または織布の小片で形成されるパッド１２が添着されている。【選択図】図１
0003233253.tif 000002
【実用新案登録請求の範囲】
【請求項１】
一方の面が接着面である粘着片からなり、該粘着片は使用時に身体の筋肉の屈筋の位置に貼着される、ことを特徴とする絆創膏。
【請求項２】
前記粘着片の大きさは略１５ｍｍ×１５ｍｍないし２０ｍｍ×２０ｍｍである、ことを特徴とする請求項１に記載の絆創膏。
【請求項３】
前記粘着片の接着面の略中央部には該粘着片よりも面積が小さな竹繊維の不織布または織布の小片で形成されるパッドが添着されている、ことを特徴とする請求項１または請求項２に記載の絆創膏。
【請求項４】
前記パッドの少なくとも両側には幅が略５ｍｍの貼着面が形成されている、ことを特徴とする請求項３に記載の絆創膏。
【考案の詳細な説明】
【技術分野】
【０００１】
本願考案は、身体表面に貼着される絆創膏に関する。
【背景技術】
【０００２】
身体表面に貼着される絆創膏に関しては、従来から様々な発明が提供されていて、例えば、いずれも発明の名称が「絆創膏」の特許文献１や特許文献２がある。
【０００３】
特許文献１は「表面磁束密度が高くして創傷部位での治癒の促進を確実に図ることができるようにする」ことを課題としていて、その解決手段を「磁気シートの極性部それぞれをシート基材に混合されているネオジウム系磁石材料が着磁してなるものとし、極性部の表面磁束密度を９００Ｇ以上にした」構成としている。また、特許文献２は「一枚の絆創膏であっても様々な指の太さに対応できる絆創膏を提供する」ことを課題としていて、その解決手段を「一面に接着面を配する粘着テープと、該粘着テープの長手方向の両側に側方接着面を配するように粘着テープの接着面に取り付けられるパッドとを備える絆創膏であって、前記粘着テープの長手方向の両側における少なくとも一方に、粘着テープの一側部を切り取って側方接着面の長さを調整し得る切り目が形成される」構成としている。
【０００４】
一方で、本願出願人らは、特許文献３に係る発明の名称を「抗菌性を有する竹パルプ、竹を原料とするセルロース繊維およびこれらの製造方法」とする技術を有していて、本発明は「高い抗菌性を有する竹パルプを提供すること、この竹パルプから抗菌性を有するセルロース繊維を作ること、およびこれらの得られたセルロース繊維を利用した種々の抗菌性の高い製品を提供することを目的とする」ことを課題としていて、その解決手段を「竹を原料として製造した竹パルプであって、α − セルロースを９ ３ ％ 以上含有している抗菌性を有する竹パルプである。この竹パルプを原料として、誘導体を経ずに直接セルロースを有機溶剤に溶解させて紡糸して得られたセルロース繊維であり、このセルロース繊維が９ ３ ％ 以上のα − セルロースを含有していることを特徴とする抗菌性を有するセルロース繊維」としている。
【先行技術文献】
【特許文献】
【０００５】
【特許文献１】特開２００８−１０４５８８号公報
【特許文献２】特開２０１８−２７１７５号公報
【特許文献３】特開２００５−１２６８７１号公報
【考案の概要】
【考案が解決しようとする課題】
【０００６】
しかしながら、特許文献１や特許文献２に開示の「絆創膏」は、いずれも身体表面の傷の位置に貼ることにより治癒の促進を図るためのものであり、身体内部に生ずる腰痛や股関節痛を治癒するものではない。
【０００７】
一方で、出願人らは（１）体を支えている口腔・首腔・胸腔・腹腔の４つの「腔」がきちんと広がっていると、体は安定し、本来の力を発揮することができ、この腔を支えているのが関節を曲げるときに縮んで力を出す「屈筋」であること、（２）屈筋が過度に緊張して常に縮んだ状態になると、体が支えられず、姿勢がくずれ「腔」がつぶれてしまうが、この縮んで硬くなった屈筋をゆるませ、膨らませるには、できるだけ弱い力で刺激することが重要であること、の知見を有していた。また、特許文献３で開示の製造方法による竹を原料とする繊維（以下、本願「明細書」および「特許請求の範囲」では単に「竹繊維」という。）には、皮膚が触れていると皮膚温度が上るという効果を奏するとの知見も有していた。
【０００８】
そこで、出願人らは鋭意研究の結果、本願考案に至ったものである。すなわち、本願考案は、縮んで硬くなった屈筋をゆるませ、膨らませることができ、その結果、身体の歪みに起因する腰痛や股関節痛等の痛みを和らげ、さらには治癒することが可能な絆創膏を提供することを課題とする。
【課題を解決するための手段】
【０００９】
上記課題を達成するために、本願請求項１に係る絆創膏は、一方の面が接着面である粘着片からなり、該粘着片は使用時に身体の筋肉の屈筋の位置に貼着される、ことを特徴としている。
なお、「屈筋」とは、関節を曲げるときに縮んで力を出す筋肉をいう。一方、関節を伸ばすときに縮む筋肉を「伸筋」という。
また、本願請求項２に係る絆創膏は、請求項１に記載の絆創膏であって、前記粘着片の大きさは略１５ｍｍ×１５ｍｍないし２０ｍｍ×２０ｍｍである、ことを特徴としている。
そして、本願請求項３に係る絆創膏は、請求項１または請求項２に記載の絆創膏であって、前記粘着片の接着面の略中央部には該粘着片よりも面積が小さな竹繊維の不織布または織布の小片で形成されるパッドが添着されている、ことを特徴としている。
なお、本明細書では、「竹繊維」とは前述したように特許文献３で開示の製造方法により製造された竹を原料とする繊維をいうこととしている。
さらに、本願請求項４に係る絆創膏は、請求項３に記載の絆創膏であって、前記パッドの少なくとも両側には幅が略５ｍｍの貼着面が形成されている、ことを特徴としている。
【考案の効果】
【００１０】
本願考案は上記の構成により以下の効果を奏する。
（１）本願考案に係る絆創膏（以下、ここでは、「当該絆創膏」という。）は、使用時に身体の筋肉の屈筋の位置に貼着することとしている。屈筋の位置に貼着することにより、人の動きに合わせて皮膚が動くことで、皮膚と当該絆創膏の層間に生じるわずかなズレで筋肉に微弱な刺激を与えることができ、前述した屈筋を長い時間ほぼ休みなく弱い力で刺激することができる。その結果、縮んで硬くなった屈筋をゆるませ、膨らませることができる。
なお、当該絆創膏を貼着する屈筋の位置が本願考案の重要な要素となる。詳細な説明は後述するが、身体には頭から足にかけて一連の屈筋ラインが形成されていて、始点となる耳たぶ下側の咬筋と終点となる足の裏の母趾球に当該絆創膏を貼着するだけでも屈筋ライン全体を緩めることができ、さらに、屈筋ラインの途中に位置する屈筋の位置に貼ることにより、身体のつながりを作る効果がより強くなる。
（２）当該絆創膏の粘着片の大きさを概ね１５ｍｍ×１５ｍｍないし２０ｍｍ×２０ｍｍの方形とすることにより、当該絆創膏を屈筋に貼着するときは、手全体を使用することがなく単に指先のみでできるので、簡便に貼ることができ扱いが容易となる。
（３）竹繊維の不織布または織布の小片で形成されるパッドにより、当該絆創膏を貼着することで、皮膚にパッドが密着する。出願人らの知見によれば竹繊維に皮膚が触れていると血行がよくなり、皮膚温度が上る。このため、温湿布のような効果を伴うことができ、縮んで硬くなった屈筋をより一層迅速にゆるませ、膨らませる効果が得られる。
（４）パッドの少なくとも両側に幅が略５ｍｍ程度の貼着面が形成されることにより、当該絆創膏は皮膚に密着するので、パッドが常に皮膚に触れている状態を保持することができ、前述の竹繊維による効果を無駄なく得ることができる。
【図面の簡単な説明】
【００１１】
【図１】図１は、実施例に係る絆創膏の断面構成模式図である。
【図２】図２は、実施例に係る絆創膏を貼着する身体場所の位置図であり、図２（ａ）は頭の後側部、図２（ｂ）は身体正面、図２（ｃ）は足の裏部、である。
【考案を実施するための形態】
【００１２】
本考案を実施するための形態に係る実施例について、図１および図２に基づいて説明する。なお、図１および図２において、符号１は実施例に係る絆創膏、符号１１は粘着片、符号１２はバッド、符号２１ないし符号２６は絆創膏１を貼着する身体場所の各々の位置、である。
【００１３】
まず、実施例に係る絆創膏１について図１を参照して説明する。
絆創膏１は下面に粘着面を有する粘着片１１と、その粘着片１１に添着されるパッド１２から形成されている。粘着片１１は大きさが２０ｍｍ×２０ｍｍの方形であり、その中央部にはパッド１２が添着されている。パッド１２の両側は粘着片１１の粘着面がそのまま残されていて、その幅は５ｍｍないし８ｍｍ程度となっている。もちろん、図面の手前側と奥側にも粘着面を残すようにしても良いが、実施例では粘着面の幅を略０ｍｍとしていて、限られた粘着片１１の面積でもパッドの面積を大きくする工夫をしている。すなわちパッド１２の面積は８ｍｍ×２０ｍｍないし１０ｍｍ×２０ｍｍとなっている。
【００１４】
つぎに、屈筋および絆創膏１の貼着場所について図２を参照して説明する。
前述したように、筋肉には関節を曲げるときに縮んで力を出す「屈筋」と、関節を伸ばすときに縮む「伸筋」がある。屈筋は、（イ）耳たぶ下側の下顎角につく咬筋→（ロ）耳の裏側から首に走る胸鎖乳突筋→（ハ）首の前側の舌骨上・下筋→（ニ）胸の大胸筋・肋間筋→（ホ）胸の深部にある大腰筋→（ヘ）太もも裏のハムストリングス→（ト）ふくらはぎの腓腹筋・ヒラメ筋→（チ）足の裏で母趾球につながる長母趾屈筋  に至る身体の頭から足にかけて一連の屈筋ラインを形成している。
【００１５】
絆創膏１を貼着する身体位置２１は、一連の屈筋ラインの始点となるものであり、耳たぶの後ろ側にある左右の窪みが相当する。そして、身体位置２２は、鎖骨の下側を内から外に向けて指でたどったときに肩の近くで指が止まる左右の窪みである。また、身体位置２３は、握りこぶしで胸骨をさすってみたときに、圧痛を一番強く感じるポイントである。さらに、身体位置２４はへそから４５度斜め上に指２本分（２０ｍｍないし３０ｍｍ）上がった左右のポイントである。そして、身体位置２５は、足の裏の親指の付け根の膨らみ（母趾球）の中央であり、左右にあって一連の屈筋ラインの終点となるものである。また、身体位置２６は、内くるぶしを足の裏に向かってたどり、かかとの膨らみとぶつかった左右にあるポイントである。
【００１６】
前述したように、身体位置２１と身体位置２５に絆創膏１を貼着することにより、屈筋ライン全体を緩めることができ、身体位置２１と身体位置２５の途中にある身体位置２２ないし身体位置２３および身体位置２６に絆創膏１を貼着することにより、身体のつながりを作る効果がより強くなる。
【００１７】
身体位置２１ないし身体位置２６は、いずれも自分の指が届く範囲にあるばかりでなく、絆創膏１を貼着するときは、手全体を使用することがなく単に指先のみで手軽にできるので、簡便に貼ることができ扱いが容易となる。
【００１８】
絆創膏１の貼着することによる効果は前述したが、パッド１２を形成している竹繊維には温湿布効果以外にも抗菌効果があり、例えば傷口に貼着してもその傷を治癒することができる。出願人らは絆創膏１を実際に何人かかの者に試したが、期待通りの効果が得られた。
【符号の説明】
【００１９】
１  実施例に係る絆創膏
１１  粘着片
１２  パッド
２１〜２６  絆創膏１を貼着する身体各部の位置
【図１】
0003233253.tif 000003
【図２】
0003233253.tif 000004
【手続補正書】
【提出日】令和3年3月8日(2021.3.8)
【手続補正１】
【補正対象書類名】実用新案登録請求の範囲
【補正対象項目名】全文
【補正方法】変更
【補正の内容】
【実用新案登録請求の範囲】
【請求項１】
一方の面が接着面である粘着片からなり、該粘着片の大きさは略１５ｍｍ×１５ｍｍないし２０ｍｍ×２０ｍｍである、ことを特徴とする身体の筋肉の屈筋の位置に貼着されることに適した絆創膏。
【請求項２】
前記粘着片の接着面の略中央部には該粘着片よりも面積が小さな竹繊維の不織布または織布の小片で形成されるパッドが添着されている、ことを特徴とする請求項１に記載の絆創膏。
【請求項３】
前記パッドの少なくとも両側には幅が略５ｍｍの貼着面が形成されている、ことを特徴とする請求項２に記載の絆創膏。
【手続補正２】
【補正対象書類名】明細書
【補正対象項目名】０００９
【補正方法】変更
【補正の内容】
【０００９】
上記課題を達成するために、本願請求項１に係る身体の筋肉の屈筋の位置に貼着されることに適した絆創膏は、一方の面が接着面である粘着片からなり、前記粘着片の大きさは略１５ｍｍ×１５ｍｍないし２０ｍｍ×２０ｍｍである、ことを特徴としている。
なお、「屈筋」とは、関節を曲げるときに縮んで力を出す筋肉をいう。一方、関節を伸ばすときに縮む筋肉を「伸筋」という。
また、本願請求項２に係る絆創膏は、請求項１に記載の絆創膏であって、前記粘着片の接着面の略中央部には該粘着片よりも面積が小さな竹繊維の不織布または織布の小片で形成されるパッドが添着されている、ことを特徴としている。
なお、本明細書では、「竹繊維」とは前述したように特許文献３で開示の製造方法により製造された竹を原料とする繊維をいうこととしている。
そして、本願請求項３に係る絆創膏は、請求項２に記載の絆創膏であって、前記パッドの少なくとも両側には幅が略５ｍｍの貼着面が形成されている、ことを特徴としている。